(57)【要約】      （修正有）【課題】冬期に就寝する時には電気毛布として使用すると共に、起きてくつろぐ時に羽織ってローブとして使用できるローブと兼用できる電気毛布を提供する。【解決手段】側辺に露出させたコネクター１ａに連繋したヒーター回路１ｂを内装させた電気毛布１において、電気毛布１の一辺に設けた一方のスライドファスナー２ａと、一方のスライドファスナー２ａに歯合する他方のスライドファスナー２ｂを下辺に設けた矩形状の上着部３と、上着部３の中程の水平方向に並設した一対の開口３ａと、該一対の開口３ａに縫合した夫々筒状の袖部３ｂと、上着部３の両側辺を係止させる係止部３ｃと、を備えた。【選択図】図１
0003161893.tif 000002
【実用新案登録請求の範囲】
【請求項１】
側辺に露出させたコネクターに連繋したヒーター回路を内装させた電気毛布において、前記電気毛布の長手方向の一辺に設けた一方のスライドファスナーと、該一方のスライドファスナーに歯合する他方のスライドファスナーを下辺に設けた矩形状の上着部と、該上着部の中程の水平方向に並設した一対の開口と、該一対の開口に縫合した夫々筒状の袖部と、前記上着部の両側辺を係止させる係止部と、を備えたことを特徴とするローブと兼用できる電気毛布。
【請求項２】
前記電気毛布の任意箇所にポケットを縫着したことを特徴とする請求項１に記載のローブと兼用できる電気毛布。
【考案の詳細な説明】
【技術分野】
【０００１】
本考案は、ローブと兼用できる電気毛布に関するものであり、更に詳細には、冬期に就寝する時には電気毛布として使用すると共に、起きてくつろぐ時に羽織ってローブとして使用できるローブと兼用できる電気毛布に関するものである。
【背景技術】
【０００２】
従来、この種の衣服に転用できる構造を有する商品は各種開発されており、例えば、買い物袋やリックサックがレインコートや衣服に転用できる物や、座布団が頭巾に転用できる物等があり、それなりに役に立っているものである。
【０００３】
また、内部にヒーターを組み込んだ繊維により形成されたひざ掛けにおいて、腰などに巻き付けて使用する際にひざ掛けがはだけることを防止するため、ひざ掛けの適当な位置にボタン或いは面ファスナーなどにより、巻き付けた状態でひざ掛けを固定出来ることを特徴としたものである。また、肩から掛けて使用する際にひざ掛けが肩から落下することを防止するため、腕をひざ掛けの外側に通すことができるよう、ひざ掛けの適当な位置にファスナー或いは面ファスナーなどにより開閉する開口部を設けたことを特徴とした新規の多目的電気ひざ掛けであるもの（特許文献１参照）や、適宜幅と長さを有する左右の前身頃部１１，２１と後身頃部１２，２２および袖１５，２５を備えて前記左右の前身頃部１１，２１が着用のために開放されており、人の背面からの着用と前面からの着用を選択できると共に、着用するとき前記袖１５，２５に腕を通せるように形成したもの（特許文献２参照）が開示されている。
【特許文献１】実用新案登録第３１４８２５７号公報
【特許文献２】実用新案登録第３１０９５３２号公報
【考案の開示】
【考案が解決しようとする課題】
【０００４】
然し乍ら、前述の開示されている特許文献１では、繊維により形成されたひざ掛けにヒーターを組み込んで、肩に掛けて使用できるもので、腕を通すことができるように適当な位置にファスナー或いは面ファスナーなどにより開閉する開口部を設けているものであるが、ひざ掛けはバスタオル程度サイズであり、肩に掛けると下半身は覆うことができず全身を包み込むような暖かさは実感できないものであり、更に、特許文献２では、外衣において、人の背面からと前面からの着用可能なものであり、毛布的にも外套的にも使用できるものであるが、袖のサイズに余裕を持たせただけのもので汎用されているこの種のコート類と変わらないものである。
【課題を解決するための手段】
【０００５】
本考案は前記課題に鑑み、鋭意研鑽の結果、これらの課題を解決するもので、電気毛布の長手方向の一辺に設けた一方のスライドファスナーと、一方のスライドファスナーに歯合する他方のスライドファスナーを下辺に設けた矩形状の上着部と、上着部の中程の水平方向に並設した一対の開口と、一対の開口に縫合した夫々筒状の袖部と、上着部の両側辺を係止させる係止部と、を備えたものであり、更に、電気毛布の任意箇所にポケットを縫着したものである。
【考案の効果】
【０００６】
本考案のローブと兼用できる電気毛布は、電気毛布の一辺に一方のスライドファスナーを設け、その一方のスライドファスナーに歯合する他方のスライドファスナーを矩形状の上着部の下辺に設けていることから、電気毛布と上着部は着脱自在であり、更に、上着部には一対の袖部を備えていることから、電気毛布と上着部とを接続して居間等で起きた状態でくつろぐ時はローブとして着用でき、また、上着部を取り外し電気毛布は就寝時に一般的な電気毛布として使用できるもので、画期的で実用性の高い有効な考案である。
【考案を実施するための最良の形態】
【０００７】
以下、本考案のローブと兼用できる電気毛布の実施の形態を図面によって具体的に説明すると、図１は本考案の円形のローブと兼用できる電気毛布の実施例の平面説明図である。
【０００８】
本考案は、ローブと兼用できる電気毛布に関するものであり、更に詳細には、冬期に就寝する時には電気毛布として使用すると共に、くつろぐ時に羽織ってローブとして使用できるローブと兼用できる電気毛布に関するものであり、請求項１に記載したローブと兼用できる電気毛布は、側辺に露出させたコネクター１ａに連繋したヒーター回路１ｂを内装させた電気毛布１において、前記電気毛布１の長手方向の一辺に設けた一方のスライドファスナー２ａと、該一方のスライドファスナー２ａに歯合する他方のスライドファスナー２ｂを下辺に設けた矩形状の上着部３と、該上着部３の中程の水平方向に並設した一対の開口３ａと、該一対の開口３ａに縫合した夫々筒状の袖部３ｂと、前記上着部３の両側辺を係止させる係止部３ｃと、を備えたことを特徴とするものである。
【０００９】
更に、請求項２に記載のローブと兼用できる電気毛布は、請求項１に記載したローブと兼用できる電気毛布において、前記電気毛布１の任意箇所にポケット１ｃを縫着したことを特徴とするものである。
【実施例】
【００１０】
即ち、本考案のローブと兼用できる電気毛布は、図１に図示するように、フリース素材で形成された矩形状の電気毛布１の片側の側辺にコネクター１ａを露出させたもので、コネクター１ａは電気毛布１に内装させたヒーター回路１ｂと電気的に連繋させていると共に、商業電源とコードを介して着脱自在に接続できるもの、又、バッテリーを装着して電気的に連繋させコードレスとしても構わないものである。
【００１１】
そして、スライドファスナー２ａ．２ｂはナイロン等のプラスチックで形成されたもので、一方のスライドファスナー２ａは電気毛布１の長手方向の一辺の全長にわたって設けているもので、後述する上着部３に備えた他方のスライドファスナー２ｂと歯合するものである。
【００１２】
次に、上着部は、図示するように電気毛布１と同幅の矩形状のもので、下辺に電気毛布１に設けた一方のスライドファスナー２ａに歯合する他方のスライドファスナー２ｂを設けているもので、つまり、電気毛布１と上着部３は着脱が自在なものである。
【００１３】
次いで、一対の開口３ａは、上着部３の適宜位置、つまり、上着部３の中程の稍上方の水平方向に並設しているもので、一対の開口２ａには筒状の袖部３ｂを夫々縫合させるものである。
【００１４】
更に、係止部３ｃは、上着部３の両側辺を係止させるもので、ボタンとボタン穴若しくは環状の紐や、紐と紐、又は、面ファスナー等の係止できるものであれば構わないものある。
【００１５】
更には、ポケット１ｃは小物を収納できるもので、電気毛布１の任意箇所に縫着したもので、図示する実施例では、略中央に２つ夫々左右辺と下辺とを縫着し、上方辺を開口させているもので、その数や位置は任意のものである。
【００１６】
つまり、本考案のローブと兼用できる電気毛布は、上着部３を取り外している時は、一般的な電気毛布１として使用し、上着部３を連繋させて袖部３ｂに手を通し、係止部３ｃを係止させることでずり落ちることなくローブとして着用でき、電気毛布１の電源を入れることにより極寒の場所でも部屋全体を暖かくしなくとも省エネで各自が暖かくくつろげるものである。
【産業上の利用可能性】
【００１７】
本考案は、電気毛布の一辺に一方のスライドファスナーを設け、その一方のスライドファスナーに歯合する他方のスライドファスナーを矩形状の上着部の下辺に設けていることから、電気毛布と上着部は着脱自在であり、更に、上着部には一対の袖部を備えていることから、電気毛布と上着部とを接続して居間等で起きた状態でくつろぐ時はローブとして着用でき、また、上着部を取り外し電気毛布は就寝時に一般的な電気毛布として使用できるローブと兼用できる電気毛布を提供するものである。
【図面の簡単な説明】
【００１８】
【図１】図１は本考案のローブと兼用できる電気毛布の実施例の平面説明図である。
【符号の説明】
【００１９】
１      電気毛布
１ａ    コネクター
１ｂ    ヒーター回路
１ｃ    ポケット
２ａ    一方のスライドファスナー
２ｂ    他方のスライドファスナー
３      上着部
３ａ    開口
３ｂ    袖部
３ｃ    係止部
【図１】
0003161893.tif 000003